(57)【要約】【課題】軽量かつ簡単に持ち運びすることができると共に、各種大きさの用紙を簡単かつ正確に２つ折りや３つ折りにすることができる紙折補助器を提供する。【解決手段】挿入口２からホルダ部３に用紙Ｂを挿入し、ホルダー部の折曲部の内面で用紙Ｂを係止させると共に用紙Ｂを平面的に保持させ、用紙Ｂの未挿入部Ｂ４をホルダー部の先端部または挿入口のある側端面を用いて、ホルダー部に挿入した用紙Ｂの挿入部分と重ねるように折り曲げることで折り目をつけ、この折り目の箇所に折り曲げ部１ａを押し付けて動かすことで用紙Ｂを正確に折り畳むことができる。【選択図】      図１
2005029297.tif 000002
【特許請求の範囲】
【請求項１】
略方形状の板を２つに折り曲げて形成した紙を平面的に保持するホルダー部と、側面に開口する用紙の挿入口とを設けてなり、前記ホルダー部の折曲部と対向する先端部は、前記用紙の未挿入部を折り返すために折曲部の端縁と平行に形成されていることを特徴とする用紙折り畳み補助器。
【請求項２】
前記用紙折り畳み補助器のホルダー部は、折曲部から対向する折り返し片の先端部までの寸法が、折り畳む用紙の長さ寸法のほぼ３分の１に形成されていることを特徴とする請求項１に記載の用紙折り畳み補助器。
【請求項３】
前記用紙折り畳み補助器のホルダー部は、名刺サイズの大きさに形成されていることを特徴とする請求項１に記載の用紙折り畳み補助器。
【請求項４】
前記ホルダー部の折曲部に対向する折り返し片の先端部には、テーパー面が形成されていることを特徴とする請求項１〜３のいずれか１項に記載の用紙折り畳み補助器。
【発明の詳細な説明】
【０００１】
【発明の属する技術分野】
この発明は、各種大きさの用紙を正確に折り込む時に使用する用紙折り畳み補助器に関する。
【０００２】
【従来の技術】
近年、コンピュータやプリンター等が普及することで、個人でもコンピュータを用いてダイレクトメール、メッセージカード、あるいは請求書等のビジネス文書等を簡単に作成することができるようなった。特に、作成された請求書等のビジネス文書等は、記載した内容が封筒の外部から見えなくすることや、定型の封筒に入る大きさにするために２つ折りや３つ折りにして送付することが一般に行われている。このビジネス文書等を２つ折りや３つ折りにするためには、手作業で折り目の位置を確かめて折り返し、折り目に手や適宜の容器等を押し付けることでしっかりと折り目をつけ、２つ折や３つ折りにしている。
【０００３】
また、名刺は勿論、名刺サイズのメッセージカードやポイントカードは、常時所持してもらいたいという観点から、財布に入る名刺やキャッシュカード等と同じ大きさに作成される。特に、名刺やキャッシュカードの大きさの用紙では、宣伝や広告を多く表示することができないため、名刺サイズの縦方向又は横方向に拡大した用紙を使って広告や宣伝の表示面積を大きくすると共に、この用紙を名刺やキャッシュカードと同じ大きさなるように２つ折りや３つ折りに作成される。このように、用紙を２つ折りや３つ折りに作成する機械として例えば、特許文献１記載の紙片折り畳み装置がある。
【０００４】
【特許文献１】
特開平５−３１９６８５号公報（段落００５５、図１）
【０００５】
【発明が解決しようとする課題】
しかしながら、２つ折りや３つ折りをするために手や適宜の容器を押し付けて行うと、手や容器等を常に綺麗な状態で使う必要があり、少しでも汚れているとカードを汚してしまうおそれがあった。さらに、容器等の形状によっては、きれいに折り目に押し付けることができないという問題があった。
【０００６】
また、数千枚単位でビジネス文書、２つ折り等の名刺、メッセージカード、あるいはポイントカード等を作成する時は、折り畳む機械を利用すると便利かつ効率的であるが、個人的に折り畳む機械を購入するには高価であると共に、１回に数百枚から数十枚単位で必要とする場合には、ランニングコストがかかってしまうという問題があった。また、枚数が少ない場合には、手作業で折り畳む方が効率的でもある。
【０００７】
そこで、この発明は、前記した課題を解決し、用紙を簡単かつ正確に２つ折りや３つ折りにすることができる用紙折り畳み補助器を提供することを目的とする。
【０００８】
【課題を解決するための手段】
前記した課題を解決するため、この発明の用紙折り畳み補助器は、略方形状の板を２つに折り曲げて形成した紙を平面的に保持するホルダー部と、側面に開口する用紙の挿入口とを設けてなり、前記ホルダー部の折曲部と対向する先端部は、前記用紙の未挿入部を折り返すために折曲部の端縁と平行に形成されていることを特徴とする。
【０００９】
この発明の用紙折り畳み補助器によれば、挿入口からホルダー部に用紙を平面的に保持させ、用紙の未挿入部を折り返し片の先端部または挿入口のある側端面を用いて、ホルダー部に挿入した用紙の挿入部分と重ねるように折り曲げることで、用紙を正確に折り畳むことができる。特に、用紙を折り曲げる先端部または挿入口のある側端面が直線状に形成されることで、きれいな折り目（折り筋）をつける事ができる。
【００１０】
また、この発明の前記用紙折り畳み補助器のホルダー部は、折曲部から折り返し片の先端部までの寸法が、折り畳む用紙の長さ寸法のほぼ３分の１に形成されていることを特徴とする。
【００１１】
この発明の用紙折り畳み補助器によれば、折曲部から反対側の折り返し片の先端部までの寸法が折り畳む用紙の長さの３分の１に折り畳むことができるので、２回折り返すことで最初の用紙の大きさの３分の１まで簡単かつ綺麗に折り畳むことができる。この発明の用紙折り畳み補助器によれば、様々な用紙のサイズであっても、縦方向又は横方向に１回又は複数回折り返すことで簡単に所定の大きさに折り畳むことができる。例えば、Ａ判、Ｂ判等のサイズの用紙を簡単に３つ折り等の大きさに作成することができる。
【００１２】
また、この発明の前記用紙折り畳み補助器のホルダー部は、名刺サイズの大きさに形成されていることを特徴とする。
【００１３】
この発明の用紙折り畳み補助器によれば、縦方向又は横方向に１回又は複数回折り返すことで簡単に所定の大きさの名刺を作成することができる。例えば、２つ折りの名刺や３つ折りの名刺を簡単に作成することができる。
【００１４】
また、この発明の前記用紙折り畳み補助器の折曲部は、折り返し片の先端部にテーパー面が形成されていることを特徴とする。
【００１５】
この発明の用紙折り畳み補助器によれば、折り返し片の先端部にテーパー面を形成することで、用紙を正確かつ綺麗に折り曲げることができる。特に、テーパー面が形成されていることにより、直線状に折り目をつけることができる。
【００１６】
【発明の実施の形態】
以下、この発明の一実施形態に係る用紙折り畳み補助器を、適宣図面を参照して説明する。
図１（ａ）は、用紙折り畳み補助器の構成を示す斜視図であり、図１（ｂ）は、図１（ａ）に示した用紙折り畳み補助器の側面図である。
図１（ａ）及び図１（ｂ）に示すように、用紙折り畳み補助器Ａは、方形状の薄板１を２つに折り曲げて形成した用紙を平面的に保持するホルダー部３と、ホルダー部３に用紙を挿入するための挿入口２と、薄板１を折り返して２つに折り曲げた折曲部１ａと、折曲部１ａと対向する折り返し片の先端部４とで構成されている。前記ホルダー部３は、薄板１を２つに折り曲げて重なり合う部分によって形成されている。
【００１７】
ここで、ホルダー部３は、薄板１の側面を平行に２つに折り曲げ、薄板１の側面の一部が略Ｕ字型を形成するように折り曲げた折曲部１ａを備え、この折曲部１ａと対向する折り返し片の先端部４が形成されている。なお、折り返し片の先端部４には薄板１の肉厚テーパー面を形成し、テーパー面の先端にはエッジ１ｃを設けてもよい。このホルダー部３に用紙が挿入されると、ホルダー部３によって用紙を平面上に保持すると共に、折曲部１ａの内面で用紙を係止することができるように構成されている。
【００１８】
ここで、用紙折り畳み補助器Ａを構成する薄板１の材料は樹脂組成物を用いることができ、折曲部１ａが可撓性を有しバネ作用を有するものが好ましいが、これに限定するものではなく、例えば、金属やアルミニウムやプラスチック等の扱い易さや持ち運び易さ等を考慮すると軽量のものを用いることが好ましい。
【００１９】
挿入口２は、図１（ｂ）に示すように、ホルダー部３に用紙を挿入する際に使用することができるように一定の隙間に形成されている。挿入口２から用紙が挿入されると、折り返し片の先端部４に移動して、先端部４側で用紙を保持することができる。
【００２０】
このように構成された用紙折り畳み補助器Ａを使用して用紙Ｂを２つ折りにする方法について図面を参照して詳細に説明する。
図２（ａ）は、用紙折り畳み補助器の挿入口からホルダー部に用紙を挿入する状態を示す斜視図であり、図２（ｂ）は、用紙折り畳み補助器のホルダー部に用紙を挿入した状態を示す斜視図であり、図２（ｃ）は、図２（ｂ）に示した用紙折り畳み補助器の側面図である。図３（ａ）は、縦紙の未挿入部を用紙折り畳み補助器のエッジで折り返した状態を示す斜視図であり、図３（ｂ）は、図３（ａ）に示した用紙折り畳み補助器の側面図である。図４（ａ）は、縦紙に用紙折り畳み補助器の折曲部を斜めに押し付ける状態を示す側面図であり、図４（ｂ）は、縦用紙に用紙折り畳み補助器の折曲部を斜めに押した状態を示す側面図である。
【００２１】
まず、長辺Ｂ１と短辺Ｂ２を有する縦長の用紙Ｂに対して用紙折り畳み補助器Ａを用いて２つ折りにする方法を説明する。
図２（ａ）に示すように、用紙折り畳み補助器Ａの挿入口２から用紙Ｂを斜めにした状態でホルダー部３に挿入し、図２（ｂ）に示すように、用紙を配置する。このとき、用紙Ｂの挿入部分は、ホルダー部３に挿入されると、図２（ｃ）に示すように、折曲部１ａの内面で短辺Ｂ２が係止されると共に、先端部４側で用紙Ｂが保持される。
【００２２】
次に、図３（ａ）に示すように、ホルダー部３に挿入されていない縦用紙Ｂの未挿入部分Ｂ３を折り返し片の先端部４のエッジ部１ｃから、ホルダー部３に挿入された挿入部分Ｂ４に重なるように折り返す。このとき、エッジ部１ｃは、折り目（筋）をつけるために直線状に形成されているので、用紙Ｂの挿入部分Ｂ４と未挿入部分Ｂ３との間に綺麗かつ正確な折り目をつけることができる。
【００２３】
そして、ホルダー部３から用紙Ｂの挿入部分Ｂ４を取り出し、図４（ａ）に示すように、用紙Ｂの挿入部分Ｂ４と未挿入部分Ｂ３を重ね合わせると共に、図４（ｂ）に示すように、エッジ部１ｃで形成した折り目に用紙折り畳み補助器Ａの折曲部１ａの一部を斜めに押し付けて摺動させることで用紙Ｂを正確に２つ折りにすることができる。
【００２４】
次に、Ａ判の縦長の用紙Ｃを例に、用紙折り畳み補助器Ａを使用して３つ折りする方法について図面を参照して詳細に説明する。
図５（ａ）は、用紙折り畳み補助器のホルダー部に用紙を挿入した状態を示す斜視図であり、図５（ｂ）は、図５（ａ）に示した用紙の未挿入部を折り返した状態を示す斜視図であり、図５（ｃ）は、重ね合わせ部をホルダー部に挿入した状態を示す斜視図であり、図５（ｄ）は、図５（ｃ）に示した用紙の未挿入部を折り返した状態を示す斜視図である。
【００２５】
まず、用紙折り畳み補助器Ａの挿入口２から用紙Ｃをホルダー部３に挿入し（図２（ａ）参照）、図５（ａ）に示すように、折曲部１ａの内面で用紙Ｃの短辺Ｃ２を係止し、先端部４側で用紙Ｃを保持する。次に、図５（ｂ）に示すように、ホルダー部３に挿入された用紙Ｃの挿入部分Ｃ３に未挿入部分Ｃ４が重なるようにエッジ１ｃの部分で折り目をつけ、用紙Ｃの挿入部分Ｃ３をホルダー部３から取り出す。そして、取り出した用紙Ｃの挿入部分Ｃ３と未挿入部分Ｃ４を重ね合わせて、前記した２つ折りの時と同じように、折り目に用紙折り畳み補助器Ａの折曲部１ａの一部を斜めに押し付けながら摺動させて２つ折りにする（図４（ｂ）参照）。
【００２６】
次に、図５（ｃ）に示すように、用紙Ｃの重ね合わせ部分Ｃ５（挿入部分Ｃ３と未挿入部分Ｃ４を重ねた合わせ部分）を挿入口ホルダー部３に再度挿入する（図２（ａ）参照）。そして、図５（ｂ）に示すように、重ね合わせ部分Ｃ５と、未挿入部分の縦用紙Ｃの部分を重ね合うようにエッジ部１ｃで折り曲げて折り目をつける。さらに、ホルダー部３から重ねあわせ部分Ｃ５を取り出し、未挿入部分の縦用紙Ｃと重ね合わせ、折り目に用紙折り畳み補助器Ａの折曲部１ａの一部を斜めに押し付けならが摺動させることで（図４（ｂ）参照）、用紙Ｃをきれいに３つ折りすることができる。
【００２７】
このように、用紙折り畳み補助器Ａを用いることで、用紙Ｂを用いたときの２つ折りや、用紙Ｃを用いたときの３つ折りなどを簡単かつ綺麗に折り畳むことができ、用紙の長辺（Ｂ１，Ｃ１）の長さが長くなっても柔軟に対応することができる。
【００２８】
また、用紙Ｃを３つ折りする際に、一度、２つ折りにした状態でホルダー部３から取り出したが、特にこの方法を限定するものではなく、ホルダー部３から取り出さず、用紙折り畳み補助器Ａの折曲部１ａの外周面を利用して巻き付けるようにして折り目を付けて、３つ折りにするようにしても同様の効果を得ることができる。また、２つ折りにした状態でホルダー３から取り出し、折り目の部分を重ねられていない未挿入部分の先端に合わせて折り重ね、折り目に用紙折り畳み補助器Ａの折曲部１ａの一部を斜めに押し付けならが摺動させることで（図４（ｂ）参照）、用紙Ｃをきれいに３つ折りにすることができる。
【００２９】
次に、用紙折り畳み補助器Ａを用いて横長（例えば、名刺サイズの２倍の大きさ）の用紙Ｄを２つ折りする方法について図面を用いて詳細に説明する。
図６（ａ）は、用紙折り畳み補助器のホルダー部に用紙を挿入した状態を示す斜視図であり、図６（ｂ）は、図６（ａ）に示した用紙の未挿入部分を折り返した状態を示す斜視図である。
【００３０】
図６（ａ）に示すように、横長の用紙Ｄを用紙折り畳み補助器Ａのホルダー部３に挿入する。ホルダー部３に挿入された挿入部Ｄ１は、用紙折り畳み補助器Ａの先端部４側で保持される。次に、図６（ｂ）に示すように、用紙Ｄの未挿入部Ｄ２を挿入部Ｄ１と重なるように折り曲げ、用紙折り畳み補助器Ａの折曲部１ａの側端面Ａ１を使用して挿入部Ｄ１と未挿入部Ｄ２の間に折り目をつける。そして、挿入部Ｄ１をホルダー部３から抜き出し、用紙Ｄの挿入部Ｄ１と非挿入部Ｄ２を重ね合わせ、折り目に用紙折り畳み補助器Ａの折曲部１ａの一部を斜めに押し当てて（図４（ｂ）参照）、挿入部Ｄ１と未挿入部Ｄ２をしっかりと重ね合わせる。
【００３１】
このように横長の用紙Ｄであっても用紙折り畳み補助器Ａの側端面を用いることで、簡単かつ正確に２つ折りにすることができる。また、同様に、用紙Ｄより長い用紙を用いることで、３つ折りや４つ折り等を同様に行うことができ、３つ折りの名刺や４つ折りの名刺でも簡単に作成することができる。
【００３２】
このようにして、この発明の用紙折り畳み補助器Ａを使用することで、用紙Ｂ，Ｃ、Ｄ等の用紙でも、いずれの方向からも２つ折りや３つ折りに簡単に折り畳むことができる。
【００３３】
また、この発明の一実施の形態について説明したが、この発明はこのような実施の形態のみに限定されるものではなく、この発明の技術的思想に基づく限りにおいて、種々の変形が可能である。
【００３４】
例えば、図７（ａ）に示すように、側端面Ａ１にエッジ１ｄを形成することで、横長の用紙Ｄを２つ折り又は３つ折りする時に、より綺麗に折り目をつけて折り畳むことができる。
【００３５】
また、図７（ｂ）に示すように、ホルダー部３に挿入した縦長の用紙Ｂ，Ｃ又は横長の用紙Ｄを取り出す際に、簡単に取り出すことができるように、ホルダー部３を形成している薄板１に孔部Ｘを形成してもよい。このように孔部Ｘを形成することで、簡単に用紙Ｂ，Ｃ又はＤ等の用紙を取り出しすることができる。また、孔部Ｘの形状や大きさはどのようなものでもよい。
【００３６】
また、図７（ｃ）に示すように、用紙折り畳み補助器Ａの先端部４を同一面に揃えてそれぞれにテーパー面によるエッジ部１ｃを設けるように構成することで、どちらにでも折り返すことができ、用紙折り畳み補助器Ａの表裏の向きに関係なく使用することができる。
【００３７】
また、図８（ａ）に示すように、ホルダー部３に用紙Ｂ，Ｃ又はＤ等の用紙をホルダー部３に挿入した際に、ホルダー部３の側面からはみ出さないために、用紙折り畳み補助器Ａの側端面Ａ１の一方側に係止部としてストッパー１ｅを設けるように構成してもよい。このストッパー（係止部）を設けることで、図８（ｂ）に示すように、ホルダー部３に用紙Ｂ，Ｃ又はＤ等の用紙を挿入した時のはみ出しを防止しして、正確に位置決めすることができる。
【００３８】
また、実施形態の用紙折り畳み補助器Ａの構成において、折曲部１ａはアール面を有する構成としたが、図８（ｃ）に示すように、折曲部１ａの代わりに角型に形成された折曲部１ｆとしても同様の効果を得ることができる。
【００３９】
さらに、この発明に係る用紙折り畳み補助器Ａを利用する用紙の大きさは限定されるものではなく、例えば、Ａ判、Ｂ判の用紙、２つ折りの名刺、カードサイズ（名刺サイズ）のクーポン券や、２つ折りの往復はがき等にも利用することができる。
【００４０】
【発明の効果】
以上の説明から明らかなように、この発明の用紙折り畳み補助器によれば、動力等を必要とせず簡単な構成で用紙を綺麗かつ正確に２つ折りや３つ折りにすることができる。また、用紙折り畳み補助器の先端部を利用するか、または側端面を利用することによって、用紙の折り畳む方向を変更することができる。
【図面の簡単な説明】
【図１】（ａ）は、用紙折り畳み補助器の構成を示す斜視図である。
（ｂ）は、図１（ａ）に示した用紙折り畳み補助器の側面図である。
【図２】（ａ）は、用紙折り畳み補助器のホルダー部に用紙を挿入する状態を示す斜視図である。
（ｂ）は、図２（ａ）に示した用紙折り畳み補助器のホルダー部に用紙を挿入した状態の側面図である。
【図３】（ａ）は、縦用紙の未挿入部を用紙折り畳み補助器のエッジで折り返した状態を示す斜視図である。
（ｂ）は、図３（ａ）に示した用紙折り畳み補助器の側面図である。
【図４】（ａ）は、縦長の用紙に用紙折り畳み補助器の折曲部を押し付ける状態を示す側面図である。
（ｂ）は、同じく用紙折り畳み補助器の折曲部を押し付けた状態を示す側面図である。
【図５】（ａ）は、用紙折り畳み補助器のホルダー部に縦長の用紙を挿入した状態を示す斜視図である。
（ｂ）は、図５（ａ）に示した用紙の未挿入部を折り返した状態を示す斜視図である。
（ｃ）は、用紙の重ね合わせ部をホルダー部に挿入した状態を示す斜視図である。
（ｄ）は、図５（ｃ）に示した用紙の未挿入部を折り返した状態を示す斜視図である。
【図６】（ａ）は、用紙折り畳み補助器のホルダー部に横長の用紙を挿入した状態を示す斜視図である。
（ｂ）は、図６（ａ）に示した未挿入部分を折り返した状態を示す斜視図である。
【図７】（ａ）〜（ｃ）は、他の実施形態を示す斜視図である。
【図８】（ａ）は、用紙折り畳み補助器にストッパーを備えた状態を示す斜視図である。
（ｂ）は、ストッパーによる用紙の係止状態を示す断面図である。
（ｃ）は、角型の折曲部を有する用紙折り畳み補助器を示す側面図である。
【符号の説明】
１  ・・・  薄板
１ａ・・・  折曲部
１ｃ・・・  エッジ部
１ｄ・・・  エッジ部
１ｅ・・・  ストッパー
１ｆ・・・  折曲部
２  ・・・  挿入口
３  ・・・  ホルダー部
４  ・・・  折り返し片の先端部
Ａ  ・・・  用紙折り畳み補助器
Ａ１・・・  側端面
【図１】
2005029297.tif 000003
【図２】
2005029297.tif 000004
【図３】
2005029297.tif 000005
【図４】
2005029297.tif 000006
【図５】
2005029297.tif 000007
【図６】
2005029297.tif 000008
【図７】
2005029297.tif 000009
【図８】
2005029297.tif 000010